(57)【要約】【課題】  登録者の使い勝手を向上させ得る認証装置を提案する。【解決手段】  認証対象に基づくパターン情報と、登録された複数の登録パターン情報とに基づいて認証する認証装置において、認証対象からパターン情報を抽出する抽出手段と、抽出手段での抽出過程で生成されたパラメータに基づいて、複数の登録パターン情報の照合順序を順位付ける順位付け手段と、順位付け手段により順位付けられた照合順序で、複数の登録パターン情報を、抽出手段により抽出されたパターン情報と順次照合する照合手段とを設けるようにした。【選択図】        図３
2006293608.tif 000002
【特許請求の範囲】
【請求項１】
認証対象に基づくパターン情報と、登録された複数の登録パターン情報とに基づいて認証する認証装置において、
上記認証対象から上記パターン情報を抽出する抽出手段と、
上記抽出手段での抽出過程で生成されたパラメータに基づいて、複数の上記登録パターン情報の照合順序を順位付ける順位付け手段と、
上記順位付け手段により順位付けられた照合順序で、複数の上記登録パターン情報を、上記抽出手段により抽出された上記パターン情報と順次照合する照合手段と
を具えることを特徴とする認証装置。
【請求項２】
上記登録パターン情報には、
当該登録パターン情報を抽出する抽出過程で生成された登録パラメータが付加されており、
上記順位付け手段は、
上記パラメータと、上記登録パラメータとの相対評価に応じて、複数の上記登録パターン情報の照合順序を順位付けする
ことを特徴とする請求項１に記載の認証装置。
【請求項３】
上記順位付け手段は、
上記パラメータと、上記登録パラメータとの相対評価に応じて、複数の上記登録パラメータを点数化して、複数の上記登録パターン情報の照合順序を順位付けし、
上記照合手段は、
上記点数の高い順に、複数の上記登録パターン情報と、上記抽出手段により抽出された上記パターン情報とを順次照合する
ことを特徴とする請求項２に記載の認証装置。
【請求項４】
上記順位付け手段は、
上記抽出手段での複数の抽出過程で、上記認証対象の特徴量を表す上記パラメータが順次生成されるたびに、複数の上記登録パターン情報の照合順序をその都度順位付ける
ことを特徴とする請求項１に記載の認証装置。
【請求項５】
認証対象に基づくパターン情報と、登録された複数の登録パターン情報とに基づいて認証する認証方法において、
上記認証対象から上記パターン情報を抽出する抽出過程で生成されたパラメータに基づいて、複数の上記登録パターン情報の照合順序を順位付けると共に、上記抽出過程を経て上記パターン情報を抽出する第１のステップと、
上記第１のステップにおいて順位付けた照合順序で、複数の上記登録パターン情報を、上記第１のステップにおいて抽出した上記パターン情報と順次照合する第２のステップと
を具えることを特徴とする認証方法。
【請求項６】
認証対象に基づくパターン情報と、登録された複数の登録パターン情報とに基づいて認証する認証装置に対して、
上記認証対象から上記パターン情報を抽出する第１の処理と、
上記第１の処理での抽出過程で生成されたパラメータに基づいて、複数の上記登録パターン情報の照合順序を順位付ける第２の処理と、
上記第２の処理において順位付けた照合順序で、複数の上記登録パターン情報を、上記第１の処理において抽出した上記パターン情報と順次照合する第３の処理と
を実行させることを特徴とするプログラム。
【請求項７】
認証対象に基づくパターン情報を生成する端末装置と、所定の通信路を介して上記端末装置と接続される情報処理装置とからなる認証システムにおいて、
上記端末装置は、
上記認証対象から上記パターン情報を抽出する抽出手段と、
上記抽出手段での抽出過程で生成されたパラメータを上記情報処理装置に送信する送信手段と
を具え、
上記情報処理装置は、
上記端末装置から送信された上記パラメータに基づいて、複数の上記登録パターン情報の照合順序を順位付ける順位付け手段
を具え、
上記順位付け手段により順位付けられた照合順序で、複数の上記登録パターン情報が、上記抽出手段により抽出された上記パターン情報と順次照合される
ことを特徴とする認証システム。
【請求項８】
認証対象に基づくパターン情報を生成する端末装置において、
上記認証対象から上記パターン情報を抽出する抽出手段と、
上記抽出手段での抽出過程で生成されたパラメータを送信する送信手段と
を具え、
上記パラメータに基づいて、送信先に登録された複数の登録パターン情報の照合順序が順位付けられ、当該順位付けられた照合順序で、複数の上記登録パターン情報が、上記抽出手段により抽出された上記パターン情報と順次照合される
ことを特徴とする端末装置。
【請求項９】
認証対象に基づくパターン情報を生成する端末装置と、所定の通信路を介して上記端末装置と接続される情報処理装置において、
上記端末装置から送信された、上記認証対象から上記パターン情報を抽出する抽出過程で生成されたパラメータに基づいて、複数の上記登録パターン情報の照合順序を順位付ける順位付け手段
を具え、
上記順位付け手段により順位付けられた照合順序で、複数の上記登録パターン情報が、上記パターン情報と順次照合される
ことを特徴とする情報処理装置。
【発明の詳細な説明】
【技術分野】
【０００１】
本発明は、認証装置、認証方法及びプログラム並びに認証システム、端末装置及び情報処理装置に関し、バイオメトリクス認証に適用して好適なものである。
【背景技術】
【０００２】
従来、生体の指紋をバイオメトリクス認証の対象とした認証装置が数多く提案されているが、近年、生体における血管自体がバイオメトリクス認証の対象の１つとして着目されている。
【０００３】
かかる認証装置は、血管を通る脱酸素化ヘモグロビン（静脈血）又は酸素化ヘモグロビン（動脈血）が近赤外線帯域の光（近赤外光）を特異的に吸収するといった性質を利用して登録者の血管を撮像し、この撮像結果として得られる血管画像（以下、これを登録血管画像と呼ぶ）のデータ（以下、これを登録血管画像データと呼ぶ）を所定のデータベースに登録する。
【０００４】
また認証装置は、照合者の血管を任意のタイミングで撮像し、この撮像結果として得られる血管画像（以下、これを認証血管画像と呼ぶ）のデータ（以下、これを認証血管画像データと呼ぶ）と、このときデータベースに登録された複数の登録血管画像データとを順次照合するようにして、登録者本人を認証するようになされている（例えば非特許文献１参照）。
【非特許文献１】特願２００３−２４２４９２公報
【発明の開示】
【発明が解決しようとする課題】
【０００５】
ところが、このような認証装置においては、データベースに登録された複数の登録血管画像データを任意の順序で認証血管画像データと照合するため、当該認証血管画像データに対応する登録血管画像データが検出されるまでの照合回数が多くなる場合があり、この場合には、登録者本人であるにもかかわらず認証結果を得るまでの時間が長くなることにより、登録者の使い勝手が悪くなるという問題がある。
【０００６】
本発明は以上の点を考慮してなされたもので、登録者の使い勝手を向上させ得る認証装置、認証方法及びプログラム並びに認証システム、端末装置及び情報処理装置を提案しようとするものである。
【課題を解決するための手段】
【０００７】
かかる課題を解決するため本発明においては、認証対象に基づくパターン情報と、登録された複数の登録パターン情報とに基づいて認証する認証装置において、認証対象からパターン情報を抽出する抽出手段と、抽出手段での抽出過程で生成されたパラメータに基づいて、複数の登録パターン情報の照合順序を順位付ける順位付け手段と、順位付け手段により順位付けられた照合順序で、複数の登録パターン情報を、抽出手段により抽出されたパターン情報と順次照合する照合手段とを設けるようにした。
【０００８】
従って、任意の順序で複数の登録パターン情報をパターン情報と照合する従来の場合に比して、パターン情報を抽出する抽出過程で生成されるパラメータに基づいて、複数の登録パターン情報の照合順序を順位付けし、当該順位付けされた照合順序で照合するため、登録者本人である確率の高い順に登録パターン情報をパターン情報と照合することができ、登録者本人である場合における照合時間を短縮化した状態で確実に安定させることができる。
【０００９】
また、認証対象に基づくパターン情報と、登録された複数の登録パターン情報とに基づいて認証する認証方法において、認証対象からパターン情報を抽出する抽出過程で生成されたパラメータに基づいて、複数の登録パターン情報の照合順序を順位付けると共に、抽出過程を経てパターン情報を抽出する第１のステップと、第１のステップにおいて順位付けた照合順序で、複数の登録パターン情報を、第１のステップにおいて抽出したパターン情報と順次照合する第２のステップとを設けるようにした。
【００１０】
従って、任意の順序で複数の登録パターン情報をパターン情報と照合する従来の場合に比して、パターン情報を抽出する抽出過程で生成されるパラメータに基づいて、複数の登録パターン情報の照合順序を順位付けし、当該順位付けされた照合順序で照合するため、登録者本人である確率の高い順に登録パターン情報をパターン情報と照合することができ、登録者本人である場合における照合時間を短縮化した状態で確実に安定させることができる。
【００１１】
さらに、認証対象に基づくパターン情報と、登録された複数の登録パターン情報とに基づいて認証する認証装置に対して、プログラムによって、認証対象からパターン情報を抽出する第１の処理と、第１の処理での抽出過程で生成されたパラメータに基づいて、複数の登録パターン情報の照合順序を順位付ける第２の処理と、第２の処理において順位付けた照合順序で、複数の登録パターン情報を、第１の処理において抽出したパターン情報と順次照合する第３の処理とを実行させるようにした。
【００１２】
従って、任意の順序で複数の登録パターン情報をパターン情報と照合する従来の場合に比して、パターン情報を抽出する抽出過程で生成されるパラメータに基づいて、複数の登録パターン情報の照合順序を順位付けし、当該順位付けされた照合順序で照合するため、登録者本人である確率の高い順に登録パターン情報をパターン情報と照合することができ、登録者本人である場合における照合時間を短縮化した状態で確実に安定させることができる。
【００１３】
さらに、認証対象に基づくパターン情報を生成する端末装置と、所定の通信路を介して端末装置と接続される情報処理装置とからなる認証システムにおいて、端末装置は、認証対象からパターン情報を抽出する抽出手段と、抽出手段での抽出過程で生成されたパラメータを情報処理装置に送信する送信手段とを設け、情報処理装置は、端末装置から送信されたパラメータに基づいて、複数の登録パターン情報の照合順序を順位付ける順位付け手段を設け、順位付け手段により順位付けられた照合順序で、複数の登録パターン情報が、抽出手段により抽出されたパターン情報と順次照合されるようにした。
【００１４】
従って、登録者本人である確率の高い順に登録パターン情報をパターン情報と照合することができ、登録者本人である場合における照合時間を短縮化した状態で確実に安定させることができると共に、端末装置の演算能力に制限があるような場合であっても、情報処理装置によって集中的に登録パターン情報の照合順序を順次付けるため、端末装置の処理負荷を低減させ、また認証時間を一段と低減させることができる。
【００１５】
さらに、認証対象に基づくパターン情報を生成する端末装置において、認証対象からパターン情報を抽出する抽出手段と、抽出手段での抽出過程で生成されたパラメータを送信する送信手段とを設け、パラメータに基づいて、送信先に登録された複数の登録パターン情報の照合順序が順位付けられ、当該順位付けられた照合順序で、複数の登録パターン情報が、抽出手段により抽出されたパターン情報と順次照合されるようにした。
【００１６】
従って、登録者本人である確率の高い順に登録パターン情報をパターン情報と照合することができ、登録者本人である場合における照合時間を短縮化した状態で確実に安定させることができると共に、端末装置の演算能力に制限があるような場合であっても、情報処理装置によって集中的に登録パターン情報の照合順序を順次付けるため、端末装置の処理負荷を低減させ、また認証時間を一段と低減させることができる。
【００１７】
さらに、認証対象に基づくパターン情報を生成する端末装置と、所定の通信路を介して端末装置と接続される情報処理装置において、端末装置から送信された、認証対象からパターン情報を抽出する抽出過程で生成されたパラメータに基づいて、複数の登録パターン情報の照合順序を順位付ける順位付け手段を設け、順位付け手段により順位付けられた照合順序で、複数の登録パターン情報が、パターン情報と順次照合されるようにした。
【００１８】
従って、登録者本人である確率の高い順に登録パターン情報をパターン情報と照合することができ、登録者本人である場合における照合時間を短縮化した状態で確実に安定させることができると共に、端末装置の演算能力に制限があるような場合であっても、情報処理装置によって集中的に登録パターン情報の照合順序を順次付けるため、端末装置の処理負荷を低減させ、また認証時間を一段と低減させることができる。
【発明の効果】
【００１９】
本発明によれば、認証対象からパターン情報を抽出し、当該抽出過程で生成されたパラメータに基づいて、複数の登録パターン情報の照合順序を順位付けして、当該順位付けられた照合順序で、複数の登録パターン情報を、抽出手段により抽出されたパターン情報と順次照合することにより、任意の順序で複数の登録パターン情報をパターン情報と照合する従来の場合に比して、パターン情報を抽出する抽出過程で生成されるパラメータに基づいて、複数の登録パターン情報の照合順序を順位付けし、当該順位付けされた照合順序で照合するため、登録者本人である確率の高い順に登録パターン情報をパターン情報と照合することができ、登録者本人である場合における照合時間を短縮化した状態で確実に安定させることができ、かくして登録者の使い勝手を向上させ得る認証装置、認証方法及びプログラムを実現できる。
【００２０】
また、本発明によれば、認証対象に基づくパターン情報を生成する端末装置と、所定の通信路を介して端末装置と接続される情報処理装置とからなる認証システムにおいて、端末装置は、認証対象からパターン情報を抽出する抽出手段と、抽出手段での抽出過程で生成されたパラメータを情報処理装置に送信する送信手段とを設け、情報処理装置は、端末装置から送信されたパラメータに基づいて、複数の登録パターン情報の照合順序を順位付ける順位付け手段を設け、順位付け手段により順位付けられた照合順序で、複数の登録パターン情報が、抽出手段により抽出されたパターン情報と順次照合されるようにしたことにより、登録者本人である確率の高い順に登録パターン情報をパターン情報と照合することができ、登録者本人である場合における照合時間を短縮化した状態で確実に安定させることができると共に、端末装置の演算能力に制限があるような場合であっても、情報処理装置によって集中的に登録パターン情報の照合順序を順次付けるため、端末装置の処理負荷を低減させ、また認証時間を一段と低減させることができ、かくして登録者の使い勝手を向上させ得る認証システム、端末装置及び情報処理装置を実現できる。
【発明を実施するための最良の形態】
【００２１】
以下図面について、本発明の一実施の形態を詳述する。
【００２２】
（１）第１の実施の形態
（１−１）認証装置の全体構成
図１において、１は全体として本実施の形態による認証装置１を示し、血管撮像部２と、信号処理部３とがケーブルを介して相互に接続されることにより構成される。
【００２３】
この血管撮像部２は、認証装置１の筺体１Ａの所定位置に指ＦＧを模るようにして形成された湾曲形状のガイド溝１１を有し、当該ガイド溝１１の底面には撮像開口部１２が配設されている。
【００２４】
これによりこの血管撮像部２は、ガイド溝１１にあてがうようにして接触される指ＦＧの指腹を撮像開口部１２上においてガイドし、当該ガイド溝１１の先端に指先を当接するように接触される指ＦＧに対する撮像開口部１２の位置を撮像者に応じて位置決めし得るようになされている。
【００２５】
そしてこの撮像開口部１２の表面には、所定材質でなる無色透明の開口カバー部１３が設けられている一方、筺体１Ａの内部における撮像開口部１２の直下には、カメラ部１４が配設されている。
【００２６】
またガイド溝１１の側面には、ヘモグロビンに対して特異的に吸収される近赤外光を血管の撮像光として照射する１対の近赤外光光源１５（１５Ａ及び１５Ｂ）が、ガイド溝１１の短手方向と平行に撮像開口部１２を挟み込むようにして配置されている。そして近赤外光光源１５は、信号処理部３による制御のもとに、当該ガイド溝１１に接触された指ＦＧの指腹側部分に近赤外光を照射し得るようになされている。
【００２７】
従ってこの血管撮像部２では、指ＦＧの指腹底に近赤外光を照射する場合に比して、指ＦＧ表面で反射する近赤外光の割合が格段に抑えられる。また指ＦＧ表面を介してその内方に入射する近赤外光は、血管を通るヘモグロビンに吸収されると共に血管以外の組織において散乱するようにして指ＦＧ内方を経由し、当該指ＦＧから血管を投影する近赤外光（以下、これを血管投影光と呼ぶ）として、撮像開口部１２及び開口カバー部１３を順次介してカメラ部１４に入射する。
【００２８】
カメラ部１４においては、マクロレンズ１６と、酸素化及び脱酸素化双方のヘモグロビンに依存性の有する波長域（およそ900[nm]〜1000[nm]）の近赤外光だけを透過する近赤外光透過フィルタ１７と、ＣＣＤ撮像素子１８とが順次配設されており、開口カバー部１３から入射する血管投影光をマクロレンズ１６及び近赤外光透過フィルタ１７を順次介してＣＣＤ撮像素子１８の撮像面に導光する。これによりこのカメラ部１４は、近接する指ＦＧの内方に混在する静脈系及び動脈系双方の毛細血管を忠実に結像し得るようになされている。
【００２９】
ＣＣＤ撮像素子１８は、信号処理部３による制御のもとに、撮像面に結像される血管を撮像し、当該撮像結果を画像信号（以下、これを血管画像信号と呼ぶ）ＢＳ（ＢＳ１、ＢＳ２、…、ＢＳｎ）として信号処理部３に順次出力するようになされている。
【００３０】
一方、信号処理部３は、図２に示すように、制御部２０に対して、血管撮像駆動部２１、画像処理部２２、認証部２３、フラッシュメモリ２４及び外部とデータの授受をするインターフェイス（以下、これを外部インターフェイスと呼ぶ）２５をそれぞれ接続することにより構成されている。
【００３１】
この制御部２０は、認証装置１全体の制御を司るＣＰＵ(Central Processing Unit)と、各種プログラムが格納されるＲＯＭ(Read Only Memory)と、当該ＣＰＵのワークメモリとしてのＲＡＭ(Random Access Memory)とを含むコンピュータ構成でなり、当該制御部２０には、認証装置１の筺体１Ａ表面の所定位置に設けられた操作部（図示せず）の操作に応じて、登録者の血管を登録するモード（以下、これを血管登録モードと呼ぶ）の実行命令ＣＯＭ１又は登録者本人の有無を判定するモード（以下、これを認証モードと呼ぶ）の実行命令ＣＯＭ２が与えられる。
【００３２】
そして制御部２０は、操作部（図示せず）から血管登録モードの実行命令ＣＯＭ１が与えられた場合には、ＲＯＭに格納された対応するプログラムに基づいて、動作モードを血管登録モードに遷移して、血管撮像駆動部２１、画像処理部２２及び認証部２３をそれぞれ制御する。
【００３３】
この場合、血管撮像駆動部２１は、近赤外光光源１５及びカメラ部１４のＣＣＤ撮像素子１８をそれぞれ駆動するようにして血管撮像部２を起動する。この結果、血管撮像部２では、近赤外光光源１５からこのときガイド溝１１（図１）に接触される撮像者の指ＦＧ（図１）の指腹側部に近赤外光が照射され、当該指ＦＧ（図１）を経由してＣＣＤ撮像素子１８の撮像面に導光される血管投影光がこのＣＣＤ撮像素子１８から複数枚の血管画像信号ＢＳ（ＢＳ１、ＢＳ２、…、ＢＳｎ）として画像処理部２２に順次出力される。
【００３４】
画像処理部２２は、供給される血管画像信号ＢＳ（ＢＳ１、ＢＳ２、…、ＢＳｎ）に対して、例えばＡ／Ｄ変換処理、ノイズ成分除去及び輪郭強調等に対応する各種フィルタリング処理、２値化処理及びモルフォロジ処理を施し、この結果得られた複数枚の線状化された血管（以下、これを血管線と呼ぶ）の画像（以下、これを血管線画像と呼ぶ）から任意の１枚の血管線画像を選択し、当該選択した血管線画像を登録血管線画像として、当該登録血管画像に対応する登録血管線画像データＲＤを認証部２３に送出する。
【００３５】
認証部２３は、登録血管線画像データＲＤに基づいて所定の形式からなる登録認証情報ＲＣとして生成し、これを制御部２０に送出する。
【００３６】
制御部２０は、このようにして血管撮像駆動部２１、画像処理部２２及び認証部２３を制御することによって当該認証部２３から登録認証情報ＲＣを受け取ると、この登録認証情報ＲＣをフラッシュメモリ２４に登録すると共に、当該血管撮像駆動部２１、画像処理部２２及び認証部２３に対する制御を解除するようにして血管撮像部２を停止させる。このようにしてこの制御部２０は、血管登録モードを実行することができるようになされている。
【００３７】
これに対して制御部２０は、操作部（図示せず）から認証モードの実行命令ＣＯＭ２が与えられた場合には、ＲＯＭに格納された対応するプログラムに基づいて、動作モードを認証モードに遷移して、血管撮像駆動部２１、画像処理部２２及び認証部２３をそれぞれ制御すると共に、フラッシュメモリ２４に登録された登録認証情報ＲＣを読み出して認証部２３に送出する。
【００３８】
この場合、血管撮像駆動部２１は、上述の血管登録モードの場合と同様に血管撮像部２を起動する。また画像処理部２２は、この血管撮像部２から順次出力される血管画像信号ＢＳ（ＢＳ１、ＢＳ２、…、ＢＳｎ）に対して、上述の血管登録モードの場合と同様にして各種処理を施し、この結果得られる血管線画像を認証血管線画像として、当該登録血管画像に対応する認証血管線画像データＣＤを認証部２３に送出する。
【００３９】
認証部２３は、この認証血管線画像データＣＤに基づく認証血管線画像と、制御部２０によりフラッシュメモリ２４から読み出される複数の登録認証情報ＲＣに基づく登録血管線画像とにおける血管線の形成パターンを順次照合する。
【００４０】
そして認証部２３は、この照合度合いに応じて、このとき血管撮像部２で撮像されている撮像者が登録者であるか否かを判定し、この判定結果を判定データＤ１として制御部２０に送出する。
【００４１】
制御部２０は、このようにして血管撮像駆動部２１、画像処理部２２及び認証部２３を制御することによって当該認証部２３から判定データＤ１を受け取ると、この判定データＤ１を外部インターフェイス２５を介して外部に転送すると共に、当該血管撮像駆動部２１、画像処理部２２及び認証部２３に対する制御を解除するようにして血管撮像部２を停止させる。このようにしてこの制御部２０は、認証モードを実行することができるようになされている。
【００４２】
このようにこの認証装置１は、生体の内方に介在する固有構造物の血管を認証対象として本人（登録者）の有無を判定する生体認証を実行することにより、生体表面に有する指紋等を対象とする場合に比して、生体からの直接的な盗用のみならず第三者による登録者への成りすましをも防止できるようになされている。
【００４３】
（１−２）付随パラメータ登録機能
かかる構成に加えてこの認証装置１には、血管登録モード時、血管画像信号ＢＳ（ＢＳ１、ＢＳ２、…、ＢＳｎ）に基づく画像から登録血管線画像データＲＤに基づく登録血管線画像を抽出する抽出過程において、当該登録血管線画像を抽出するのに必要な特徴量を表す登録付随パラメータＲＡＰを生成し、登録血管線画像データＲＤに対応づけて登録認証情報ＲＣとして登録する付随パラメータ登録機能が搭載されている。
【００４４】
ここで、登録付随パラメータＲＡＰとは、血管画像信号ＢＳに基づく画像から登録血管線画像を抽出する抽出過程において、早期に求めることが可能であり、かつ当該登録付随パラメータＲＡＰのみでは登録者の識別が不可能であるパラメータを指す。
【００４５】
この場合、画像処理部２２は、血管画像信号ＢＳに基づく画像から登録血管線画像を抽出する抽出過程において、輪郭強調等に対応するフィルタリング処理を施すことによって、指ＦＧの太さを算出し、例えば当該指ＦＧの太さに対応した画像サイズに血管画像信号ＢＳに基づく画像を変換するようになされており、この際算出される指ＦＧの太さを第１の登録付随パラメータＲＡＰ１として認証部２３に送出する。
【００４６】
また画像処理部２２は、血管画像信号ＢＳに基づく画像から登録血管線画像を抽出する抽出過程において、輪郭強調等に対応するフィルタリング処理を施すことによって、指ＦＧの輝度値のヒストグラムを算出し、例えば当該指ＦＧの輝度値のヒストグラムに基づいて指ＦＧにおける脂肪量を算出したり、血管を強調するようになされており、この際算出される指ＦＧの輝度値のヒストグラムを第２の登録付随パラメータＲＡＰ２として認証部２３に送出する。
【００４７】
さらに画像処理部２２は、血管画像信号ＢＳに基づく画像から登録血管線画像を抽出する抽出過程において、輪郭強調等に対応するフィルタリング処理を施すことによって、例えば血管画像信号ＢＳに基づく画像における輝度値の平均値及び分散を算出し、例えば当該輝度値の平均値及び分散に基づいて２値化処理における閾値を算出するようになされており、この際算出される輝度値の平均値及び分散を第３の登録付随パラメータＲＡＰ３として認証部２３に送出する。
【００４８】
さらに画像処理部２２は、血管画像信号ＢＳに基づく画像から登録血管線画像を抽出する抽出過程において、２値化処理を施すことによって、例えば指ＦＧの血管の量を算出し、例えば当該指ＦＧの血管の量に基づいて分岐点を抽出するようになされており、この際算出される指ＦＧの血管の量を第４の付随パラメータＡＰ４として認証部２３に送出する。
【００４９】
そして認証部２３は、供給される登録血管線画像データＲＤに第１〜第４の登録付随パラメータＲＡＰ１〜ＲＡＰ４を対応づけて、これを登録認証情報ＲＣとして生成するようになされている。
【００５０】
このようにこの認証装置１では、血管画像信号ＢＳに基づく画像から登録血管線画像を抽出する抽出過程において、当該登録血管線画像を抽出するのに必要な特徴量を登録付随パラメータＲＡＰとして用いているため、画像処理部２２に対して余計な処理をさせることなく、最短の処理で登録血管線画像を抽出しながら登録付随パラメータＲＡＰを生成し得るようになされている。
【００５１】
（１−３）付随パラメータを用いた認証機能
またこの認証装置１には、認証モード時、上述の血管登録モード時と同様の処理を施すことにより得られる付随パラメータ（以下、これを認証付随パラメータと呼ぶ）ＣＡＰに基づいて、フラッシュメモリ２４に登録されている複数の登録認証情報ＲＣの照合順序を順位付けし、順位付けされた照合順序で、登録認証情報ＲＣの登録血管線画像を認証血管線画像データＣＤの認証血管線画像と順次照合する付随パラメータを用いた認証機能が搭載されている。
【００５２】
（１−３−１）原理
例えば、ｎ個の登録認証情報ＲＣi（i=1,…,n）に対して、ｍ個の登録付随パラメータＲＡＰi,ｊ（i=1,…,n/j=1,…,m）が対応づけられており、このような登録認証情報ＲＣiの登録血管線画像と、認証血管線画像データＣＤの認証血管線画像とを認証する場合に、当該認証血管線画像を生成するまでにｍ個の認証付随パラメータＣＡＰｊ（j=1,…,m）を生成するとする。
【００５３】
この場合には、登録認証情報ＲＣiに対して、生成される認証付随パラメータＣＡＰｊを順次供給し、登録認証情報ＲＣiの登録付随パラメータＲＡＰi,ｊを認証付随パラメータＣＡＰｊから近い順に並びかえ、その近さを点数化することによって、登録認証情報ＲＣiの順位付けをする順位評価データＯｉ（i=1,…,n）を更新するようになされている。
【００５４】
この順位評価データＯｉは、認証付随パラメータＣＡＰｊから登録認証情報ＲＣiを特定するために、認証付随パラメータＣＡＰｊに対して、登録認証情報ＲＣiの登録付随パラメータＲＡＰi,ｊを点数化し、当該点数に基づいて登録認証情報ＲＣiを照合する順序を決定するものである。
【００５５】
このとき図３は、５個の認証付随パラメータＣＡＰｊ（m=5）であり、かつ１０個の登録付随パラメータＲＡＰi,ｊ（n=10）である場合における付随パラメータ評価マップを示しており、各白丸印（図中○）においては、登録付随パラメータＲＡＰi,ｊを示し、各黒丸印（図中●）においては、認証付随パラメータＣＡＰｊを示している。
【００５６】
この場合、この付随パラメータ評価マップの縦軸（＃１〜＃５）については、血管画像信号ＢＳに基づく画像から血管線画像を抽出する抽出過程を示し、付随パラメータ評価マップの横軸（−３〜３）については、各登録付随パラメータＲＡＰi,ｊ及び認証付随パラメータＣＡＰｊを相対評価した点数を示している。
【００５７】
ここで、例えば２番目の認証付随パラメータＣＡＰｊである認証付随パラメータＣＡＰ２の場合について説明すると、認証付随パラメータＣＡＰ２から１〜４番目の登録認証情報ＲＣ１〜ＲＣ４に対応した２番目の登録付随パラメータＲＡＰi,ｊは、図３のように登録付随パラメータＲＡＰ１，２、ＲＡＰ２，２、ＲＡＰ３，２、ＲＡＰ４，２で示される。
【００５８】
この場合、認証付随パラメータＣＡＰ２から登録付随パラメータＲＡＰ１，２、ＲＡＰ２，２、ＲＡＰ３，２、ＲＡＰ４，２までを距離ｌ１、ｌ２、ｌ３、ｌ４とすると、それぞれの距離ｌiは、次式、
【００５９】
【数１】
2006293608.tif 000003
【００６０】
によって、算出することができる。これは他の認証付随パラメータＣＡＰｊについても同様であるため、i番目の登録認証情報ＲＣiの登録付随パラメータＲＡＰi,ｊにおける距離ｌiｊは、次式、
【００６１】
【数２】
2006293608.tif 000004
【００６２】
によって、算出することができる。このように算出される距離ｌi,ｊに基づいて、順位評価データＯｉを、次式、
【００６３】
【数３】
2006293608.tif 000005
【００６４】
により決定し、順位評価データＯｉにおいて、距離ｌi,ｊに基づいて点数化し得るようになされている。但し、ここで「point」とは、登録付随パラメータＲＡＰi,ｊと認証付随パラメータＣＡＰｊとの差分の絶対値を点数化することを示しており、「Ｏｉ＋point」とは、順位評価データＯｉを順次積算していることを示している。
【００６５】
このように、ｍ個の認証付随パラメータＣＡＰｊ（j=1,…,m）が順次供給されることによって、その都度、算出される距離ｌi,ｊに基づいて順位評価データＯｉ（i=1,…,n）が更新され、最終的にｍ個の認証付随パラメータＣＡＰｊが供給された段階で、当該ｍ個の認証付随パラメータＣＡＰｊによる順位評価データＯｉを決定することができ、当該順位評価データＯｉにおける登録認証情報ＲＣiの点数が高い順に照合順序が決定されるようになされている。
【００６６】
このとき、認証付随パラメータＣＡＰｊに基づいて、登録認証情報ＲＣiの照合順序が決定するのと同時に、認証血管線画像データＣＤの生成が終了し得るようになされている。
【００６７】
このように認証装置１では、血管画像信号ＢＳに基づく画像から認証血管線画像を抽出する抽出処理と、登録認証情報ＲＣiの順位付け処理とを並行して施すことによって、登録認証情報ＲＣiの照合順序が決定するのと同時に、認証血管線画像データＣＤの生成が終了させることができるため、認証時間を一段と低減することができるようになされている。
【００６８】
（１−３−２）付随パラメータを用いた認証処理
実際上、制御部２０は、操作部（図示せず）から認証モードの実行命令ＣＯＭ２が与えられた場合には、ＲＯＭに格納された対応するプログラムに基づいて、動作モードを認証モードに遷移して、血管撮像駆動部２１、画像処理部２２及び認証部２３をそれぞれ制御する。
【００６９】
この場合、血管撮像駆動部２１は、上述の血管登録モードの場合と同様に血管撮像部２を起動する。また画像処理部２２は、この血管撮像部２から順次出力される血管画像信号ＢＳから認証血管線画像を抽出する抽出処理を開始して、上述の血管登録モード時と同様の抽出処理を施す際に算出される指ＦＧの太さを第１の認証付随パラメータＣＡＰ１として生成し、これを制御部２０のＲＡＭに送出する。
【００７０】
この場合、フラッシュメモリ２４には、血管登録モード時に、図３のような複数の登録付随パラメータＲＡＰがプロットされた付随パラメータ評価マップＡＭが制御部２０によって作成されて格納されている。
【００７１】
ここで制御部２０は、付随パラメータ評価マップＡＭをフラッシュメモリ２４から読み出して、当該制御部２０のＲＡＭに展開し、当該制御部２０のＲＡＭにおいて、第１の認証付随パラメータＣＡＰ１を付随パラメータ評価マップＡＭにおける対応する位置にプロットして、第１の認証付随パラメータＣＡＰ１と対応する複数の登録付随パラメータＲＡＰとを相対評価するようになされている。
【００７２】
そして制御部２０は、登録付随パラメータＲＡＰを第１の認証付随パラメータＣＡＰ１から近い順に並びかえて、その近さを点数化することによって、これを順位評価パデータＯｉとして生成するようになされている。
【００７３】
また画像処理部２２は、上述の血管登録時と同様の抽出処理を施す際に算出される指ＦＧの輝度値のヒストグラムを第２の認証付随パラメータＣＡＰ２として生成し、これを制御部２０のＲＡＭに送出する。
【００７４】
そして制御部２０は、当該制御部２０のＲＡＭにおいて、第２の認証付随パラメータＣＡＰ２を付随パラメータ評価マップＡＭにおける対応する位置にプロットし、対応する複数の登録付随パラメータＲＡＰを第２の認証付随パラメータＣＡＰ２から近い順に並びかえ、その近さを点数化することによって、順位評価パラメータＯｉを更新するようになされている。
【００７５】
さらに画像処理部２２は、上述の血管登録時と同様の抽出処理を施す際に算出される輝度値の平均値及び分散並びに指ＦＧの血管の量をそれぞれ第３の認証付随パラメータＣＡＰ３及び第４の認証付随パラメータＣＡＰ４として生成して、これを制御部２０のＲＡＭに送出する。
【００７６】
そして制御部２０は、当該制御部２０のＲＡＭにおいて、第３の認証付随パラメータＣＡＰ３及び第４の認証付随パラメータＣＡＰ４を付随パラメータ評価マップＡＭにおける対応する位置にそれぞれプロットして、それぞれ対応する複数の登録付随パラメータＲＡＰを第３の認証付随パラメータＣＡＰ３及び第４の認証付随パラメータＣＡＰ４から近い順に並びかえ、その近さを点数化することによって、順位評価パラメータＯｉを順次更新するようになされている。
【００７７】
そして画像処理部２２は、上述の血管登録モード時と同様の抽出処理を終了して、この結果得られる複数の認証血管線画像から任意の１枚の認証血管線画像を選択し、当該選択した血管線画像に対応する認証血管線画像データＣＤを認証部２３に送出する。
【００７８】
認証部２３は、この認証血管線画像データＣＤに基づく血管線画像と、フラッシュメモリ２４から読み出される登録認証情報ＲＣに基づく登録血管線画像とにおける血管線の形成パターンを、制御部２０において、順位評価データＯｉによって順位付けされている順序で照合するようになされている。
【００７９】
このようにこの認証装置１では、フラッシュメモリ２４に登録された複数の登録血管画像を、登録者本人である確率の高い順に、当該登録血管画像と照合する認証血管画像と照合するようにして認証処理を実行することができるようになされている。
【００８０】
なお、順位評価データＯｉは、図４に示すように、登録認証情報格納欄ＯｉＡ及び点数欄ＯｉＢから構成されており、この登録認証情報格納欄ＯｉＡには、複数の登録認証情報ＲＣｉがそれぞれ格納されており、また点数欄ＯｉＢには、各認証時付随パラメータＣＡＰと複数の登録付随パラメータＲＡＰとの距離に基づく点数の積算値がそれぞれ格納され、当該点数の高い順に複数の登録付随パラメータＲＡＰを順位付けるようになされている。
【００８１】
（１−４）認証処理手順
ここで、制御部２０は、上述のような認証処理を、当該制御部２０内のＲＯＭに格納された制御プログラムに基づき、図５に示す認証処理手順ＲＴ１に従って実行する。
【００８２】
すなわち制御部２０は、認証モードの実行命令ＣＯＭ２を受けると、この認証処理手順ＲＴ１をステップＳＰ０において開始し、続くステップＳＰ１において、撮像面に結像される血管を撮像し、当該撮像結果を血管画像信号ＢＳとして信号処理部３に順次出力する
【００８３】
続いて制御部２０は、ステップＳＰ２に進んで、血管画像信号ＢＳに基づく画像から認証血管線画像を抽出する抽出処理を開始する。
【００８４】
続いて制御部２０は、ステップＳＰ３に進んで、血管画像信号ＢＳに基づく画像から認証血管線画像を抽出する抽出過程において、第１〜第４の認証付随パラメータＣＡＰ１〜ＣＡＰ４を順次生成し、当該第１〜第４の認証付随パラメータＣＡＰ１〜ＣＡＰ４を順位評価マップＡＭに順次プロットして、これを点数化することにより、順位評価データＯｉを生成及び更新する。
【００８５】
続いて制御部２０は、ステップＳＰ４に進んで、血管画像信号ＢＳに基づく画像から認証血管線画像を抽出する抽出過程を経て、認証血管線画像を生成する。
【００８６】
続いて制御部２０は、ステップＳＰ５に進んで、順位評価データＯｉによって順位付けされている順序で、登録認証情報ＲＣの登録血管線画像と、認証血管線画像とを順次照合する。
【００８７】
続いて制御部２０は、ステップＳＰ６に進んで、登録血管線画像と、認証血管線画像とが一致するか否かを判断する。そして制御部２０は、このステップＳＰ６において否定結果を得るとステップＳＰ７に進んで、登録血管線画像と、認証血管線画像との認証を拒否し、これに対して肯定結果を得るとステップＳＰ８に進んで、登録血管線画像と、認証血管線画像とを認証する。
【００８８】
そして制御部２０は、この後ステップＳＰ９に進んで、この認証処理手順ＲＴ１を終了する。
【００８９】
このようにして制御部２０は、血管画像信号ＢＳに基づく画像から認証血管線画像を抽出する抽出処理と、登録認証情報ＲＣの順位付け処理とを並行して実行することができるようになされている。
【００９０】
（１−５）動作及び効果
以上の構成において、この認証装置１では、血管登録モード時、血管画像信号ＢＳに基づく画像から登録血管線画像を抽出する抽出過程において、当該登録血管線画像を抽出するのに必要な特徴量を表す登録付随パラメータＲＡＰを生成し、登録血管線画像データＲＤに対応づけて登録認証情報ＲＣとして登録しておく。
【００９１】
そして認証装置１は、認証モード時、上述の血管登録モード時と同様の抽出過程で生成される認証付随パラメータＣＡＰに基づいて、フラッシュメモリ２４に登録されている複数の登録認証情報ＲＣの照合順序を順位付けし、当該順位付けされた照合順序で、登録認証情報ＲＣの登録血管線画像を認証血管線画像データＣＤの認証血管線画像と順次照合する。
【００９２】
従って、この認証装置１では、任意の順序で複数の登録血管画像を認証血管画像と照合する従来の場合に比して、認証血管線画像を抽出する抽出過程で生成される認証付随パラメータＣＡＰに基づいて、複数の登録認証情報ＲＣの照合順序を順位付けし、当該順位付けされた照合順序で照合するため、登録者本人である確率の高い順に登録認証情報ＲＣの登録血管画像を認証血管画像と照合することができ、登録者本人である場合における照合時間を短縮化した状態で確実に安定させることができる。
【００９３】
以上の構成によれば、登録付随パラメータＲＡＰを登録血管線画像データＲＤに対応づけて登録認証情報ＲＣとして登録しておき、上述の血管登録モード時と同様の抽出過程で生成される認証付随パラメータＣＡＰに基づいて、フラッシュメモリ２４に登録されている複数の登録認証情報ＲＣの照合順序を順位付けし、当該順位付けされた照合順序で、登録認証情報ＲＣの登録血管線画像を認証血管線画像データＣＤの認証血管線画像と順次照合することにより、任意の順序で複数の登録血管画像を認証血管画像と照合する従来の場合に比して、認証血管線画像を抽出する抽出過程で生成される認証付随パラメータＣＡＰに基づいて、複数の登録認証情報ＲＣの照合順序を順位付けし、当該順位付けされた照合順序で照合するため、登録者本人である確率の高い順に登録認証情報ＲＣの登録血管画像を認証血管画像と照合することができ、登録者本人である場合における照合時間を短縮化した状態で確実に安定させることができ、かくして登録者の使い勝手を向上させることができる。
【００９４】
（２）第２の実施の形態
（２−１）認証システムの全体構成
図６において、３０は全体として本実施の形態による認証システムを示し、上述した認証装置１（図１）とは、信号処理部４１の構成を除いて同様に構成されている端末装置４０と、上述した複数の登録認証情報ＲＣが登録されている認証サーバ５０とが無線又は有線の所定の通信路ＮＴを介してそれぞれ接続されることにより構成されている。
【００９５】
（２−２）認証システムにおける認証処理
図７は、第２の実施の形態による信号処理装置４１を示しており、上述した信号処理部３（図２）とは、認証部２３及びフラッシュメモリ２４が設けられておらず、また認証サーバ５０と接続するための通信インターフェイス４２が設けられており、さらに制御部４３における制御処理が異なることを除いて同様に構成されている。
【００９６】
実際上、制御部４３は、操作部（図示せず）から認証モードの実行命令ＣＯＭ２が与えられた場合には、ＲＯＭに格納された対応するプログラムに基づいて、動作モードを認証モードに遷移して、血管撮像駆動部２１、画像処理部２２及び通信インターフェイス４２をそれぞれ制御する。
【００９７】
この場合、血管撮像駆動部２１は、上述の血管登録モードの場合と同様に血管撮像部２を起動する。また画像処理部２２は、この血管撮像部２から順次出力される血管画像信号ＢＳから認証血管線画像を抽出する抽出処理を開始して、上述の血管登録時と同様の処理を施す際に算出される指ＦＧの太さを第１の認証付随パラメータＣＡＰ１として生成し、これを通信インターフェイス４２に送出する。
【００９８】
通信インターフェイス４２は、画像処理部２２から供給される第１の認証付随パラメータＣＡＰ１に対して、所定の変調処理や暗号化処理を施し、当該第１の認証付随パラメータＣＡＰ１を送信データＤ２として、通信路ＮＴを介して認証サーバ５０に送出する。
【００９９】
この認証サーバ５０においては、図８に示すように、サーバ制御部５１と、登録認証情報格納データベース５２と、認証部５３と、通信インターフェイス５４とがバスを介してそれぞれ接続されることにより構成されている。
【０１００】
この場合、サーバ制御部５１は、この認証サーバ５０全体の制御の制御を司るＣＰＵ（図示せず）と、ＣＰＵのワークメモリとしてのＲＡＭ（図示せず）と、各種制御プログラムが格納されたＲＯＭ（図示せず）とを含むマイクロコンピュータ構成となっている。
【０１０１】
そして、登録認証情報格納データベース５２には、血管登録モード時に登録された複数の登録付随パラメータＲＡＰが格納されていると共に、図３のような複数の登録付随パラメータＲＡＰがプロットされた付随パラメータ評価マップＡＭがサーバ制御部５１によって作成されて格納されている。
【０１０２】
このとき、通信インターフェイス５４は、端末装置４０から通信路ＮＴを介して送信データＤ２を受信すると、当該送信データＤ２に対して、上述の変調処理及び暗号化処理に対応する復調処理及び復号化処理を施し、かくして得られた第１の認証付随パラメータＣＡＰ１をサーバ制御部５１のＲＡＭに送出する
【０１０３】
ここでサーバ制御部５１は、付随パラメータ評価マップＡＭを登録認証情報格納データベース５２から読み出して、当該サーバ制御部５１のＲＡＭに展開し、当該サーバ制御部５１のＲＡＭにおいて、第１の認証付随パラメータＣＡＰ１を付随パラメータ評価マップＡＭにおける対応する位置にプロットして、第１の認証付随パラメータＣＡＰ１と対応する複数の登録付随パラメータＲＡＰとを相対評価するようになされている。
【０１０４】
そしてサーバ制御部５１は、対応する複数の登録付随パラメータＲＡＰを第１の認証付随パラメータＣＡＰ１から近い順に並びかえて、その近さを点数化することによって、これを図４のような順位評価パラメータＯｉとして生成するようになされている。
【０１０５】
また画像処理部２２（図７）は、上述の血管登録時と同様の処理を施す際に算出される指ＦＧの輝度値のヒストグラムを第２の認証付随パラメータＣＡＰ２として生成し、これを通信インターフェイス４２、通信路ＮＴ及び通信インターフェイス５４をそれぞれ介してサーバ制御部５１のＲＡＭに送出する。
【０１０６】
そしてサーバ制御部５１は、当該サーバ制御部５１のＲＡＭにおいて、第２の認証付随パラメータＣＡＰ２を付随パラメータ評価マップＡＭにおける対応する位置にプロットし、対応する複数の登録付随パラメータＲＡＰを第２の認証付随パラメータＣＡＰ２から近い順に並びかえ、その近さを点数化することによって、順位評価パラメータＯｉを更新するようになされている。
【０１０７】
さらに画像処理部２２（図７）は、上述の血管登録時と同様の処理を施す際に算出される輝度値の平均値及び分散並びに指ＦＧの血管の量をそれぞれ第３の認証付随パラメータＣＡＰ３及び第４の認証付随パラメータＣＡＰ４として生成し、これを通信インターフェイス４２、通信路ＮＴ及び通信インターフェイス５４をそれぞれ介してサーバ制御部５１のＲＡＭに送出する。
【０１０８】
そしてサーバ制御部５１は、当該サーバ制御部５１のＲＡＭにおいて、第３の認証付随パラメータＣＡＰ３及び第４の認証付随パラメータＣＡＰ４を付随パラメータ評価マップＡＭにおける対応する位置にそれぞれプロットして、それぞれ対応する複数の登録付随パラメータＲＡＰを第３の認証付随パラメータＣＡＰ３及び第４の認証付随パラメータＣＡＰ４から近い順に並びかえ、その近さを点数化することによって、順位評価パラメータＯｉを更新するようになされている。
【０１０９】
そして画像処理部２２（図７）は、上述の血管登録モード時と同様の処理を経て、この結果得られる複数の認証血管線画像から任意の１枚の認証血管線画像を選択し、当該選択した血管線画像に対応する認証血管線画像データＣＤを通信インターフェイス４２、通信路ＮＴ及び通信インターフェイス５４をそれぞれ介して認証部５３に送出する。
【０１１０】
認証部５３は、この認証血管線画像データＣＤに基づく認証血管線画像と、フラッシュメモリ２４から読み出される登録認証情報ＲＣに基づく登録血管線画像とにおける血管線の形成パターンを、制御部２０において、順位評価データＯｉによって順位付けされている照合順序で順次照合するようになされている。
【０１１１】
そして認証部５３は、この照合度合いに応じて、このとき端末装置４０の血管撮像部２で撮像されている撮像者が登録者であるか否かを判定し、この判定結果を判定データＤ１として通信インターフェイス５４、通信路ＮＴ及び通信インターフェイス４２をそれぞれ介して信号処理部４１の制御部２０（図７）に送出する。
【０１１２】
制御部２０（図７）は、このようにして血管撮像駆動部２１、画像処理部２２及び認証部２３を制御することによって当該認証部２３から判定データＤ１を受け取ると、この判定データＤ１を外部インターフェイス２５を介して外部に転送すると共に、当該血管撮像駆動部２１及び画像処理部２２に対する制御を解除するようにして血管撮像部２を停止させる。
【０１１３】
このようにこの認証システム３０では、認証サーバ５０の登録認証情報格納データベース５２に登録された複数の登録血管画像を、登録者本人である確率の高い順に、当該登録血管画像と認証血管画像とを照合するようにして認証処理を実行することができるようになされている。
【０１１４】
（２−３）付随パラメータ生成処理手順及び登録認証情報順位付け処理手順
（２−３−１）付随パラメータ生成処理手順
ここで、制御部４３は、上述のような付随パラメータ生成処理を、当該制御部４３内のＲＯＭに格納された制御プログラムに基づき、図９に示す付随パラメータ生成処理手順ＲＴ２に従って実行する。
【０１１５】
すなわち制御部４３は、認証モードの実行命令ＣＯＭ２を受けると、この付随パラメータ生成処理手順ＲＴ２をステップＳＰ１０において開始し、続くステップＳＰ１１において、撮像面に結像される血管を撮像し、当該撮像結果を血管画像信号ＢＳとして信号処理部４１に順次出力する
【０１１６】
続いて制御部４３は、ステップＳＰ１２に進んで、血管画像信号ＢＳに基づく画像から認証血管線画像を抽出する抽出処理を開始する。
【０１１７】
続いて制御部４３は、ステップＳＰ１３に進んで、血管画像信号ＢＳに基づく画像から認証血管線画像を抽出する抽出過程において、第１〜第４の認証付随パラメータＣＡＰ１〜ＣＡＰ４を順次生成し、当該第１〜第４の認証付随パラメータＣＡＰ１〜ＣＡＰ４を順位評価マップＡＭに順次プロットして、これを点数化することにより、順位評価データＯｉを生成及び更新し、認証サーバ５０に順次送出する。
【０１１８】
続いて制御部４３は、ステップＳＰ１４に進んで、血管画像信号ＢＳに基づく画像から認証血管線画像を抽出する抽出過程を経て、認証血管線画像を生成し、認証サーバ５０に送出する。
【０１１９】
続いて制御部４３は、ステップＳＰ１５に進んで、認証サーバ５０から判定データＤ１を受信したか否かを判断する。そして制御部４３は、このステップＳＰ１５において認証サーバ５０から判定データＤ１を受信するのを待ちながら、判定データＤ１を受信した場合にはステップＳＰ１６に進んで、判定データＤ１の判定結果が認証であるか否かを判断する。そして制御部４３は、このステップＳＰ１６において否定結果を得るとステップＳＰ１７に進んで、登録血管線画像と、認証血管線画像との認証を拒否し、これに対して肯定結果を得るとステップＳＰ１８に進んで、登録血管線画像と、認証血管線画像とを認証する。
【０１２０】
そして制御部４３は、この後ステップＳＰ１９に進んで、この付随パラメータ生成処理手順ＲＴ２を終了する。
【０１２１】
（２−３−２）登録認証情報順位付け処理手順
一方、サーバ制御部５１は、第１の認証付随パラメータＣＡＰを受信すると、上述の付随パラメータ生成処理手順ＲＴ２と並行して、図１０に示す登録認証情報順位付け処理手順ＲＴ３をステップＳＰ２０において開始し、続くステップＳＰ２１において、信号処理部４１から順次送出される第１〜第４の認証付随パラメータＣＡＰ１〜ＣＡＰ４を順位評価マップＡＭに順次プロットして点数化することにより、順位表かデータＯｉを生成及び更新し、登録認証情報ＲＣの照合順序を順位付ける。
【０１２２】
続いてサーバ制御部５１は、ステップＳＰ２２に進んで、信号処理部４１から認証血管線画像を受信する。
【０１２３】
続いてサーバ制御部５１は、ステップＳＰ２３に進んで、順位評価データＯｉによって順位付けされている照合順序で、登録認証情報ＲＣの登録血管線画像と、認証血管線画像とを順次照合する。
【０１２４】
続いてサーバ制御部５１は、ステップＳＰ２４に進んで、登録血管線画像と、認証血管線画像とが一致するか否かを判断する。そしてサーバ制御部５１は、このステップＳＰ２４において否定結果を得るとステップＳＰ２５に進んで、登録血管線画像と、認証血管線画像との認証を拒否し、これに対して肯定結果を得るとステップＳＰ２６に進んで、登録血管線画像と、認証血管線画像とを認証する。
【０１２５】
そしてサーバ制御部５１は、やがてステップＳＰ２７に進んで、判定データＤ１を信号処理部４１に送出し、この後ステップＳＰ２８に進んで、この登録認証情報順位付け処理手順ＲＴ３を終了する。
【０１２６】
このようにして認証システム３０では、制御部４３において血管画像信号ＢＳに基づく画像から認証血管線画像を抽出する付随パラメータ生成処理手順ＲＴ２を実行し、これと並行して、サーバ制御部５１において登録認証情報順位付け処理手順ＲＴ３を実行することにより、認証処理を実行することができるようになされている。
【０１２７】
（２−４）動作及び効果
以上の構成において、この認証システム３０では、端末装置４０の信号処理部４１によって、認証血管線画像を抽出する抽出過程において生成される認証付随パラメータＣＡＰを認証サーバ５０に順次送出し、認証サーバ５０によって、順次受信される認証付随パラメータＣＡＰに基づいて、登録認証情報格納データベース５２に登録されている複数の登録認証情報ＲＣの照合順序を順位付けし、当該順位付けられた照合順序で、当該登録認証情報ＲＣの登録血管線画像を認証血管線画像データＣＤの認証血管線画像と順次照合する。
【０１２８】
従って、この認証システム３０では、登録者本人である確率の高い順に登録認証情報ＲＣの登録血管画像を認証血管画像と照合することができ、登録者本人である場合における認証時間を短縮化した状態で確実に安定させることができると共に、信号処理部４１の制御部４３の演算能力に制限があるような場合であっても、サーバ制御部５１によって集中的に登録認証情報ＲＣの照合順序を順次付けするため、複数の端末装置４０における制御部４３の処理負荷を低減させ、また認証時間を一段と低減させることができる。
【０１２９】
以上の構成によれば、端末装置４０の信号処理部４１によって、認証血管線画像を抽出する抽出過程において生成される認証付随パラメータＣＡＰを認証サーバ５０に順次送出し、認証サーバ５０によって、順次受信される認証付随パラメータＣＡＰに基づいて、登録認証情報格納データベース５２に登録されている複数の登録認証情報ＲＣの照合順序を順位付けし、当該順位付けられた照合順序で、当該登録認証情報ＲＣの登録血管線画像を認証血管線画像データＣＤの認証血管線画像と順次照合することにより、登録者本人である確率の高い順に登録認証情報ＲＣの登録血管画像を認証血管画像と照合することができ、登録者本人である場合における認証時間を短縮化した状態で確実に安定させることができると共に、信号処理部４１の制御部４３の演算能力に制限があるような場合であっても、サーバ制御部５１によって集中的に登録認証情報ＲＣの照合順序を順次付けするため、複数の端末装置４０における制御部４３の処理負荷を低減させ、また認証時間を一段と低減させることができ、かくして登録者の使い勝手を向上させることができる。
【０１３０】
（３）他の実施の形態
なお上述の実施の形態においては、所定の認証装置１を適用するようにした場合について述べたが、この認証装置は、例えば携帯電話機に適用することができ、また例えばＰＤＡ（Personal Digital Assistants）やパーソナルコンピュータのような情報処理端末装置あるいは家庭用電子機器、通信機能を有するこの他種々の通信端末装置に適用することができる。
【０１３１】
また上述の実施の形態においては、認証対象に基づくパターン情報として、撮像された生体の指ＦＧに基づく血管線画像を適用する場合について述べたが、本発明はこれに限らず、例えば掌、腕又は目の血管等、この他種々の生体部位における血管の画像を適用するようにしても良く、また例えば生体表面の指紋、生体内方の神経の画像を適用するようにしても良く、さらに例えば紋様と呼ばれる紙の模様等、この他種々の認証対象に基づくパターン情報に適用するようにしても良い。因みに、神経を認証対象とする場合には、例えば神経に特異的なマーカを体内に注入し、当該マーカを撮像するようにすれば、上述の実施の形態と同様にして神経を認証対象とすることができる。
【０１３２】
さらに上述の実施の形態においては、認証対象に基づくパターン情報として、撮像された生体の指ＦＧに基づく血管線画像を適用する場合について述べたが、本発明はこれに限らず、例えば生体の音声に基づく声紋等の音声パターン情報に適用するようにしても良く、この他種々の認証対象に基づくパターン情報に適用するようにしても良い。
【０１３３】
さらに上述の実施の形態においては、上記認証対象から上記パターン情報を抽出する抽出手段として、血管撮像部２及び画像処理部２２を用いて画像処理を施すことにより抽出した場合について述べたが、本発明はこれに限らず、例えば音声を認証対象とする場合には、音声処理を施すことにより抽出するようにしても良く、認証対象に応じた抽出処理を施すようにすれば良い。
【０１３４】
さらに上述の実施の形態においては、上記抽出手段での抽出過程で生成されたパラメータとして、指ＦＧの太さ、指の輝度値のヒストグラム、指の画像の輝度値の平均値及び分散及び指の血管の量をパラメータとした場合について述べたが、本発明はこれに限らず、例えば２値化処理後の画像の差に基づく指ＦＧの血流、カメラ部１４のマクロレンズ１６のＡＦ（Auto Focus）量に基づく位置、ＣＣＤ撮像素子１８の感度に基づく光量等、この他種々の抽出手段での抽出過程で生成されたパラメータを適用することができる。
【０１３５】
因みに、紙の紋様を認証対象とする場合には、例えば紋様の所定の周波数帯域におけるヒストグラム等をパラメータとして適用することができ、また神経を認証対象とする場合には、マーカのばらつき等をパラメータとして適用することができ、さらに音声を認証対象とする場合には、音声の周波数帯域や周波数間隔、周波数変化等をパラメータとして適用することができる。
【０１３６】
さらに上述の実施の形態においては、上記抽出手段での抽出過程で生成されたパラメータに基づいて、複数の上記登録パターン情報の照合順序を順位付ける順位付け手段として、認証付随パラメータＣＡＰを付随パラメータ評価マップＡＭにおける対応する位置にそれぞれプロットして、それぞれ対応する認証付随パラメータＣＡＰ４から近い順に並びかえ、その近さを点数化することによって、順位評価パラメータＯｉを更新した場合について述べたが、本発明はこれに限らず、例えば近さの点数化は単に順位を点数化するようにしても良く、また順位ではなく大きさによる重み付けを点数化するようにしても良い。
【０１３７】
さらに上述の実施の形態においては、登録された複数の登録認証情報ＲＣの登録血管線画像と、当該登録血管線画像と照合する認証血管線画像とに基づいて認証する認証装置として、血管登録モードと、認証モードとの双方を実行する認証装置１を適用するようにした場合について述べたが、本発明はこれに限らず、当該認証モードの一方だけを実行する認証装置を適用するようにしても良い。
【０１３８】
さらに上述の実施の形態においては、認証部５３を認証サーバ５０に設けるようにした場合について述べたが、本発明はこれに限らず、端末装置４０の信号処理部４１に設けるようにしても良く、要は、認証サーバ５０に、抽出手段での抽出過程で生成されたパラメータに基づいて、複数の登録パターン情報の照合順序を順位付ける順位付け手段を代理させるようにすれば良い。
【０１３９】
さらに上述の実施の形態においては、かかる順位評価マップＡＭを複数の登録認証情報ＲＣと同じフラッシュメモリ２４に登録しておくようにした場合について述べたが、本発明はこれに限らず、当該複数の登録認証情報ＲＣとは別の場所に順位評価マップＡＭを保持しておくようにしても良い。
【０１４０】
さらに上述の実施の形態においては、複数の登録認証情報ＲＣをフラッシュメモリ２４に登録するようにした場合について述べたが、本発明はこれに限らず、例えばＨＤＤ(Hard Disk Drive)や、装脱着自在のメモリスティック（ソニー株式会社  登録商標）等、この他種々の保持手段を広く適用することができる。
【０１４１】
さらに上述の実施の形態においては、認証方法として、図５に示した照合処理手順ＲＴ１に従って認証処理を実行するようにした場合について述べたが、本発明はこれに限らず、当該処理の順序や処理内容を適宜変更するようにしても良い。
【０１４２】
さらに上述の実施の形態においては、一連の処理をそれぞれの機能を有するハードウェアにより実行させた場合について述べたが、本発明はこれに限らず、ソフトウェアにより実行させるようにしても良い。このとき、一連の処理をソフトウェアにより実行させる場合には、そのソフトウェアを構成するプログラムが専用のハードウェアに組み込まれているコンピュータに対して、各種プログラムをインストールすることで各種の機能を実行することが可能となり、汎用のパーソナルコンピュータなどに記録媒体からインストールされる。そしてこの記録媒体は、例えば光ディスク、光磁気ディスク、半導体メモリ、磁気ディスク等の種々の記録媒体を含むことは言うまでもない。また汎用のパーソナルコンピュータなどに例えばインターネット等のネットワークを介してダウンロードすることによって、各種プログラムをインストールするようにしても良い。
【０１４３】
さらに上述の実施の形態においては、抽出手段としての血管撮像部２及び画像処理部２２と、順位付け手段として制御部２０、サーバ制御部５１と、照合手段としての認証部２３とによって認証装置としての認証装置１を構成した場合について述べたが、本発明はこれに限らず、この他種々の構成でなる抽出手段と、順位付け手段と、照合手段とによって、認証装置及び認証システムを構成するようにしても良い。
【産業上の利用可能性】
【０１４４】
本発明は、生体等を識別する技術を用いる分野のほか、この他種々の認証対象の模様等を識別する分野に利用可能である。
【図面の簡単な説明】
【０１４５】
【図１】本実施の形態による認証装置及び端末装置の全体構成を示す略線図である。
【図２】認証装置の信号処理部の構成を示すブロック図である。
【図３】付随パラメータ評価マップの説明に供する概念図である。
【図４】順位評価データの説明に供する概念図である。
【図５】認証処理手順を示すフローチャートである。
【図６】本実施の形態による認証システムの全体構成を示す略線図である。
【図７】端末装置の信号処理部の構成を示すブロック図である。
【図８】認証サーバの構成を示すブロック図である。
【図９】付随パラメータ生成処理手順を示すフローチャートである。
【図１０】登録認証情報順位付け処理手順を示すフローチャートである。
【符号の説明】
【０１４６】
１……認証装置、２……血管撮像部、３、４１……信号処理部、１４……カメラ部、１５Ａ、１５Ｂ……近赤外光光源、１６……マクロレンズ、１７……近赤外光透過フィルタ、１８……ＣＣＤ撮像素子、２０、４３……制御部、２１……血管撮像駆動部、２２……画像処理部、２３、５３……認証部、２４……フラッシュメモリ、２５……外部インターフェイス、４２、５４……通信インターフェイス、５０……認証サーバ、５１……サーバ制御部、５２……登録認証情報格納データベース、ＦＧ……指、ＣＯＭ１、ＣＯＭ２……実行命令、ＢＳ（ＢＳ１、…、ＢＳｎ）……血管画像信号、ＣＤ……認証血管画像データ、ＲＤ……登録血管画像データ、Ｄ１……判定データ、ＲＣ……登録認証情報、ＲＴ１……認証処理手順、ＲＴ２……付随パラメータ生成処理手順、ＲＴ３……登録認証情報順位付け処理手順。
【図１】
2006293608.tif 000006
【図２】
2006293608.tif 000007
【図３】
2006293608.tif 000008
【図４】
2006293608.tif 000009
【図５】
2006293608.tif 000010
【図６】
2006293608.tif 000011
【図７】
2006293608.tif 000012
【図８】
2006293608.tif 000013
【図９】
2006293608.tif 000014
【図１０】
2006293608.tif 000015